(57)【要約】
【課題】衛生マスクに必要とされる種々の機能を全て満足できるようにする。
【解決手段】外側ガーゼ５と、第１不織布６と、第２不織布７と、口元側ガーゼ８が、外側から口元側に向かって、上記の順で並設されることで、マスク本体１が構成されて、外側ガーゼ５、第１・第２不織布６，７及び口元側ガーゼ８の外周部が、熱接着により、一体化されると共に、口元側ガーゼ８の裏面の外周部に、左右一対の耳掛けが熱接着され、外側ガーゼ５、第１不織布６、第２不織布７の順で、糸密度が密になるようにされて、第１不織布６が第２不織布７よりも厚くされている。
【選択図】図３
0003101186.tif 000002
【実用新案登録請求の範囲】
【請求項１】
外側ガーゼと、第１不織布と、第２不織布と、口元側ガーゼが、外側から口元側に向かって、上記の順で並設されることで、マスク本体が構成され、
外側ガーゼ、第１不織布、第２不織布の順で、糸密度が密になるようにされ、
第１不織布が第２不織布よりも厚くされた衛生マスク。
【請求項２】
外側ガーゼ、第１・第２不織布及び口元側ガーゼの外周部が、熱接着により、一体化されると共に、
口元側ガーゼの裏面の外周部に、左右一対の耳掛けが熱接着された請求項１記載の衛生マスク。
【請求項３】
第１不織布がエアースルー不織布とされ、第２不織布がメルトブロー不織布とされた請求項１又は２記載の衛生マスク。
【考案の詳細な説明】
【技術分野】
【０００１】
本考案は、鼻と口を覆って、塵、埃、花粉、微生物等の捕捉、喉の保護、治療や消毒等の衛生作業、料理や給食等に使用される衛生マスクに関する。
【背景技術】
【０００２】
一般に、衛生マスクは、触感、口当たり、ボリューム感、外観体裁等の観点から、マスク本体が綿製ガーゼにより構成されると共に、塵、埃、花粉等を捕捉するために、ガーゼのプライ（層、重ね合わせ）数が１２、１６、２４と多くされている。
しかし、これでは、通気性が悪く、衛生マスクの着用時に、息苦しさや喋り難さがあると共に、ガーゼの重ね合わせ数を多くした割に、花粉や微生物等を良好に捕捉できないとの問題があった。
【０００３】
そこで、上記問題を解決するために、近年、衛生マスクのマスク本体を、合成樹脂素材からなる不織布製としたものが提案されている。このものは、マスク本体がガーゼ製であるものに比較して、通気性が良く、衛生マスクの着用時に、息苦しさや喋り難さがないと共に、塵、埃、花粉、微生物等を良好に捕捉できる利点がある。
然しながら、マスク本体が不織布製のものは、マスク本体がガーゼ製のものに比較して、触感、口当たり、ボリューム感、外観体裁等で問題があると共に、長時間の衛生マスクの着用時に、不快感が著しいとの問題もあった。
【０００４】
上記のように、マスク本体がガーゼ製や不織布製の何れのものでも、問題があり、この問題を解決できる衛生マスクの提案が要望されていた。
【考案の開示】
【考案が解決しようとする課題】
【０００５】
解決しようとする問題点は、衛生マスクに必要とされる種々の機能を全て満足できる衛生マスクがなかった点である。
【課題を解決するための手段】
【０００６】
本考案は上記問題点を解決したもので、その特徴とするところは、外側ガーゼと、第１不織布と、第２不織布と、口元側ガーゼが、外側から口元側に向かって、上記の順で並設されることで、マスク本体が構成され、外側ガーゼ、第１不織布、第２不織布の順で、糸密度が密になるようにされ、第１不織布が第２不織布よりも厚くされた点にある。
尚、外側ガーゼ、第１・第２不織布及び口元側ガーゼの外周部が、熱接着により、一体化されると共に、口元側ガーゼの裏面の外周部に、左右一対の耳掛けが熱接着されることもある。
又、第１不織布がエアースルー不織布とされ、第２不織布がメルトブロー不織布とされることもある。
【考案の効果】
【０００７】
本考案によれば、下記の効果を奏する。
Ａ．衛生マスクの外側及び口元側がガーゼから構成されているので、触感、口当たり、ボ  リューム感、外観体裁が良好であり、衛生マスクを長時間着用しても、不快感がない。Ｂ．衛生マスクの本体のプライ数が少ない為、通気性が良く、衛生マスクの着用時に、息  苦しさや喋り難さがない。
Ｃ．衛生マスクの中間プライをバリア性のある不織布とすることで、塵、埃、花粉、風邪  のウィルス等の微生物等を良好に捕捉できる。
Ｄ．外側ガーゼ、第１不織布、第２不織布の順で、糸密度が密になるようにされたので、  大きな塵や埃は外側ガーゼで捕捉され、それよりも小さな塵や埃は第１不織布で捕捉さ  れ、更に小さな塵や埃、或いは、花粉、微生物は第２不織布で捕捉されるというように  、マスク本体により、塵、埃、花粉、微生物等を効率的に捕捉できる。
Ｅ．第１不織布を第２不織布よりも厚くし、第１不織布として、厚みのあるものを使用し  ているので、衛生マスクのボリューム感を更に向上でき、フイット感、着け心地を向上  できる。
請求項２記載の考案によれば、外側ガーゼ、第１・第２不織布及び口元側ガーゼの外周部が、熱接着により、一体化されると共に、口元側ガーゼの裏面の外周部に、左右一対の耳掛けが熱接着されたので、衛生マスクを容易に製造できる。
請求項３記載の考案によれば、第１不織布として、厚みが充分にあるエアースルー不織布を使用しているので、衛生マスクのボリューム感を更に向上できる。又、第２不織布として、繊維が極細で、糸密度が密なメルトブロー不織布を使用しているので、塵、埃、花粉、微生物等を更に良好に捕捉できる。
【考案を実施するための最良の形態】
【０００８】
本考案は、衛生マスクに必要とされる種々の機能を全て満足できる衛生マスクを提供する。
【実施例１】
【０００９】
以下、本考案の実施例を図面に基づき説明すると、衛生マスクは、マスク本体１と、ノーズワイヤ２と、左右一対の耳掛け３を有する。
【００１０】
マスク本体１は、鼻、口、顎を覆うもので、外側ガーゼ５と、合成樹脂製とされた第１・第２不織布６，７と、口元側ガーゼ８を有する４プライ（層）構造とされて、これらが、外側から口元側に向かって、上記の順で並設されると共に、これら外周部が超音波による熱接着（ヒートシール）９により一体化されている。詳しくは、上記熱接着時に、加熱により、第１・第２不織布６，７が溶融し、これが、外側・口元側ガーゼ８の繊維に絡み付いて、固化することにより、外側ガーゼ５と、合成樹脂製第１・第２不織布６，７と、口元側ガーゼ８が一体化される。このように、マスク本体１を超音波による熱接着により一体化しているので、マスク本体１を容易に製造できる。マスク本体１の上下方向中央部には、立体的なギャザー（プリーツ）１０が左右方向に配設されており、衛生マスクの着用時に、ギャザー１０を広げることで、マスク本体１による、鼻や口の圧迫が抑制され、これにより、息苦しさや喋り難さが軽減される。
【００１１】
外側・口元側ガーゼ５，８は綿製とされており、塵、埃、花粉、微生物等の捕捉を行なうフィルター機能を有している。
【００１２】
第１不織布６は、厚みのあるフィルターとされて、第２不織布７よりも厚くされており、マスク本体１に厚み（ボリューム感）を持たせる機能と、塵、埃、花粉、微生物等の捕捉を行なうフィルター機能を有する。第１不織布６では、フィルター機能よりも、マスク本体１に厚みを持たせる機能が優先されており、この観点から、第１不織布６としては、厚み（ボリューム感）が充分にあるエアースルー不織布が好ましい。
【００１３】
第２不織布７は、塵、埃、花粉、微生物等の捕捉を行なうフィルター機能を、主要な機能として有するもので、この観点から、第２不織布７としては、繊維が（超）極細で、糸密度が密である（換言すれば、「布目が細かい」、更に、換言すれば、「通過可能な粒子の大きさが小さい）メルトブロー不織布が好ましい。尚、外側ガーゼ５、第１不織布６、第２不織布７の順で、糸密度が密になる（換言すれば、「布目が細かくなる」、更に、換言すれば、「通過可能な粒子の大きさが小さくなる」）ようにされている。
【００１４】
ノーズワイヤ２は、マスク本体１を着用者の鼻の形にフィットさせるもので、これにより、衛生マスクの着用時に、マスク本体１がずれ難くなると共に、鼻の側方側の隙間も略閉塞される。ノーズワイヤ２は、例えば、第１・第２不織布６，７の上端部間に介装されて、マスク本体１内の上端部に左右方向に配設されている。ノーズワイヤ２は、マスク本体１の熱接着時に、マスク本体１における、ノーズワイヤ２周辺部が熱接着されることで、マスク本体１に固定される。ノーズワイヤ２としては、例えば、軟質の針金、プラスチック樹脂等が使用される。
【００１５】
耳掛け３は、マスク本体１の左右両端部に備えられるもので、マスク本体１の熱接着時に、口元側ガーゼ８の裏面に熱接着されている。このように、耳掛け３をマスク本体１に超音波により熱接着しているので、耳掛け３をマスク本体１に容易に取り付けることができる。耳掛け３としては、例えば、スパンデックス（ポリウレタン）製の伸縮性を有し且つ断面略長方形状の平たい紐が使用されている。このように、平たい紐を使用すれば、上記熱接着時に、耳掛け３と口元側ガーゼ８の接触面積を大とでき、両者を良好に熱接着できる。尚、この熱接着時には、耳掛け３の端部が溶融して、口元側ガーゼ８の繊維と絡み付いて、固化する。又、耳掛け３として、スパンデックス製のものを使用すると、ゴム製のものを使用した場合に比較して、上記熱接着時に、傷付き難く、強度が弱くならないと共に、繰り返し伸縮させても、弾力性が失われにくい。更に、耳掛け３として、スパンデックス製の平たい紐を使用すれば、衛生マスクの着用時に、耳掛け３がソフトに着用者の肌に当たり、付け心地が良好である。
【００１６】
上記構成例によれば、下記の効果がある。
Ａ．衛生マスクの外側及び口元側がガーゼから構成されているので、触感、口当たり、ボ  リューム感、外観体裁が良好であり、衛生マスクを長時間着用しても、不快感がない。Ｂ．衛生マスクが４プライ構造で、プライ数が少ないと共に、中間プライが不織布である  ので、通気性が良く、衛生マスクの着用時に、息苦しさや喋り難さがない。
Ｃ．衛生マスクの中間プライに不織布を使用したので、塵、埃、花粉、風邪のウィルス等  の微生物等を良好に捕捉できると共に、特に、第２不織布７として、繊維が極細で、糸  密度が密なメルトブロー不織布を使用すれば、塵、埃、花粉、微生物等を更に良好に捕  捉できる。
Ｄ．外側ガーゼ５、第１不織布６、第２不織布７の順で、糸密度が密になるようにされた  ので、大きな塵や埃は外側ガーゼ５で捕捉され、それよりも小さな塵や埃は第１不織布  ６で捕捉され、更に小さな塵や埃、或いは、花粉、微生物は第２不織布７で捕捉される  というように、マスク本体１により、塵、埃、花粉、微生物等を効率的に捕捉できる。Ｅ．第１不織布６を第２不織布７よりも厚くし、第１不織布６として、厚みのあるものを  使用しているので、衛生マスクのボリューム感を更に向上できると共に、特に、第１不  織布６として、厚みが充分にあるエアースルー不織布を使用すれば、衛生マスクのボリ  ューム感を更に向上できる。
【００１７】
尚、上記実施例では、第１・第２不織布を、夫々、一枚としたが、複数枚としてもよく、又、中間プライに、上記以外の不織布や、その他のフィルターや布（生地）等を付加してもよい。
【図面の簡単な説明】
【００１８】
【図１】本考案の一実施例を示す斜視図である。
【図２】図１の背面図である。
【図３】図２のＡ−Ａ線矢視断面図である。
【符号の説明】
【００１９】
１  マスク本体
３  耳掛け
５，８  外側・口元側ガーゼ
６，７  第１・第２不織布
９  熱接着
【図１】
0003101186.tif 000003
【図２】
0003101186.tif 000004
【図３】
0003101186.tif 000005